(57)【要約】  本開示は、走査ドライバー及びその駆動方法、有機発光ディスプレイを提供する。走査ドライバーは、第１駆動領域及び第２駆動領域を備える。第１駆動領域は、複数の第１駆動ユニットを備える。複数の第１駆動ユニットは、順次走査線へ第１駆動信号及び第３駆動信号を送信する。複数の第１駆動ユニットの入力端は、複数の第１トランジスタを介して次の行の第１駆動ユニットの出力端に接続され、複数の第１駆動ユニットの出力端は、複数の第２トランジスタを介して次の行の第１駆動ユニットの入力端に接続される。第２駆動領域は、複数の第２駆動ユニットを備える。複数の第２駆動ユニットは、順次前記走査線へ第２駆動信号を送信する。複数の第２駆動ユニットの入力端は、複数の第３トランジスタを介して次の行の第２駆動ユニットの出力端に接続され、複数の第２駆動ユニットの出力端は、複数の第４トランジスタを介して次の行の第２駆動ユニットの入力端に接続される。
2020523635.tif 000002
【特許請求の範囲】
【請求項１】
走査線により複数の画素に提供される走査信号を順次前記走査線へ提供する走査ドライバーであって、
第１駆動領域と、第２駆動領域とを備え、
前記第１駆動領域は複数の第１駆動ユニットを備え、前記複数の第１駆動ユニットのそれぞれは、入力端及び出力端を含み、前記複数の第１駆動ユニットは順次前記走査線へ第１駆動信号及び第３駆動信号を送信し、複数の第１駆動ユニットの入力端は複数の第１トランジスタを介して次の行の第１駆動ユニットの出力端に接続され、複数の第１駆動ユニットの出力端は複数の第２トランジスタを介して次の行の第１駆動ユニットの入力端に接続され、
前記第２駆動領域は複数の第２駆動ユニットを備え、前記複数の第２駆動ユニットのそれぞれは、入力端及び出力端を含み、前記複数の第２駆動ユニットは順次前記走査線へ第２駆動信号を送信し、複数の第２駆動ユニットの入力端は複数の第３トランジスタを介して次の行の第２駆動ユニットの出力端に接続され、複数の第２駆動ユニットの出力端は複数の第４トランジスタを介して次の行の第２駆動ユニットの入力端に接続される
ことを特徴とする走査ドライバー。
【請求項２】
第１駆動領域において、
第５トランジスタは、始端の前記第１駆動ユニットの入力端と第１起動信号端の間に結合され、
第６トランジスタは、終端の前記第１駆動ユニットの入力端と第１起動信号端の間に結合される
ことを特徴とする請求項１に記載の走査ドライバー。
【請求項３】
第２駆動領域において、
第７トランジスタは、始端の前記第２駆動ユニットの入力端と第２起動信号端の間に結合され、
第８トランジスタは、終端の前記第２駆動ユニットの入力端と第２起動信号端の間に結合される
ことを特徴とする請求項２に記載の走査ドライバー。
【請求項４】
第１方向イネーブル信号は、前記第１トランジスタ、前記第３トランジスタ、前記第６トランジスタ及び前記第８トランジスタのゲートに提供され、
第２方向イネーブル信号は、前記第２トランジスタ、前記第４トランジスタ、前記第５トランジスタ及び前記第７トランジスタのゲートに提供される
ことを特徴とする請求項３に記載の走査ドライバー。
【請求項５】
前記第１トランジスタ、前記第２トランジスタ、前記第３トランジスタ、前記第４トランジスタ、前記第５トランジスタ、前記第６トランジスタ、前記第７トランジスタ及び前記第８トランジスタは、いずれもＰ型薄膜トランジスタである
ことを特徴とする請求項４に記載の走査ドライバー。
【請求項６】
前記第１方向イネーブル信号及び前記第２方向イネーブル信号は、互いに重ならない
ことを特徴とする請求項４に記載の走査ドライバー。
【請求項７】
前記画素は、第１駆動端、第２駆動端及び第３駆動端を備え、
前記第１駆動信号は、前記第１駆動端に提供され、
前記第２駆動信号は、前記第２駆動端に提供され、
前記第３駆動信号は、前記第３駆動端に提供される
ことを特徴とする請求項１に記載の走査ドライバー。
【請求項８】
ｎ行目の前記第１駆動ユニットの出力端は、ｎ行目の画素の第１駆動信号を出力し、
ｎ行目の前記第２駆動ユニットの出力端は、ｎ行目の画素の第２駆動信号を出力し、
（ｎ＋１）行目の前記第１駆動ユニットの出力端は、ｎ行目の画素の第３駆動信号を出力し、ここで、ｎは自然数である
ことを特徴とする請求項７に記載の走査ドライバー。
【請求項９】
前記第１駆動ユニットは、第１駆動ユニット第１クロック信号端及び第１駆動ユニット第２クロック信号端を含み、
前記第１駆動ユニット第１クロック信号端は、奇数行の前記第１駆動ユニットの第１クロック信号端及び偶数行の前記第１駆動ユニットの第２クロック信号端に接続され、
前記第１駆動ユニット第２クロック信号端は、奇数行の前記第１駆動ユニットの第２クロック信号端及び偶数行の前記第１駆動ユニットの第１クロック信号端に接続され、
前記第２駆動ユニットは、第２駆動ユニット第１クロック信号端及び第２駆動ユニット第２クロック信号端を備え、
前記第２駆動ユニット第１クロック信号端は、奇数行の前記第２駆動ユニットの第１クロック信号端及び偶数行の前記第２駆動ユニットの第２クロック信号端に接続され、
前記第２駆動ユニット第２クロック信号端は、奇数行の前記第２駆動ユニットの第２クロック信号端及び偶数行の前記第２駆動ユニットの第１クロック信号端に接続される
ことを特徴とする請求項４に記載の走査ドライバー。
【請求項１０】
請求項９に記載の走査ドライバーの駆動方法であって、
正方向走査の際に、前記第１方向イネーブル信号は、第１レベルを維持し、前記第２方向イネーブル信号は、第２レベルを維持し、
第１起動信号は、始端の前記第１駆動ユニットの入力端に提供され、一単位時間後、第２起動信号は、始端の前記第２駆動ユニットの入力端に提供され、
逆方向走査の際に、前記第１方向イネーブル信号は、第２レベルを維持し、前記第２方向イネーブル信号は、第１レベルを維持し、
第１起動信号は、終端の前記第１駆動ユニットの入力端に提供され、二単位時間後、第２起動信号は、終端の前記第２駆動ユニットの入力端に提供され、
前記第１レベルは、前記第２レベルよりも高い
ことを特徴とする駆動方法。
【請求項１１】
請求項１〜９のいずれか一項に記載の走査ドライバーと、
データ線へデータ信号を提供するためのデータドライバーと、
発光制御線へ発光制御信号を提供するための発光制御線ドライバーと、
前記走査線と前記データ線と前記発光制御線との交差エリアに配置される画素と、
を備えることを特徴とする有機発光ディスプレイ。
【発明の詳細な説明】
【技術分野】
【０００１】
本開示は、ディスプレイ技術分野に関し、具体的には、走査ドライバー及びその駆動方法、有機発光ディスプレイに関する。
【背景技術】
【０００２】
携帯端末市場の発展に伴い、携帯端末メーカーがアクティブマトリクス型有機発光ダイオード（Ａｃｔｉｖｅ  Ｍａｔｒｉｘ  Ｏｒｇａｎｉｃ  Ｌｉｇｈｔ  Ｅｍｉｔｔｉｎｇ  Ｄｉｏｄｅ：ＡＭＯＬＥＤ）の走査方向に対してさまざまな要求を挙げてきたため、正／逆方向走査をサポート可能な走査回路を開発することは、市場ニーズにマッチしている。
【０００３】
現在、ＡＭＯＬＥＤスクリーンの走査はすべて単一方向の走査構成である。一方、液晶ディスプレイ（Ｌｉｑｕｉｄ  Ｃｒｙｓｔａｌ  Ｄｉｓｐｌａｙ：ＬＣＤ）は、正方向走査及び逆方向走査を使用するため、正／逆方向の両方向の走査を実現することができる。そこで、アクティブマトリクス型有機発光ダイオード（ＡＭＯＬＥＤ）に両方向の走査を実現させて、アクティブマトリクス型有機発光ダイオード（ＡＭＯＬＥＤ）の競争力を高めるために、アクティブマトリクス型有機発光ダイオード（ＡＭＯＬＥＤ）ディスプレイ上で両方向の正／逆方向走査を実現する必要がある。
【発明の概要】
【０００４】
本開示の目的は、走査ドライバー及びその駆動方法、有機発光ディスプレイを提供することによって、ＡＭＯＬＥＤスクリーンの走査ドライバーの両方向走査を実現することである。
【０００５】
上記の技術問題を解決するために、本開示は走査ドライバーを提供する。走査ドライバーは、順次走査線へ走査信号を提供する。走査信号は、走査線により複数の画素に提供される。ここで、走査ドライバーは、第１駆動領域及び第２駆動領域を備える。第１駆動領域は、複数の第１駆動ユニットを備え、複数の第１駆動ユニットのそれぞれは、入力端と出力端を備える。複数の第１駆動ユニットは、順次走査線へ第１駆動信号及び第３駆動信号を送信する。複数の第１駆動ユニットの入力端は、複数の第１トランジスタを介して次の行の第１駆動ユニットの出力端に接続され、複数の第１駆動ユニットの出力端は、複数の第２トランジスタを介して次の行の第１駆動ユニットの入力端に接続される。第２駆動領域は、複数の第２駆動ユニットを備え、複数の第２駆動ユニットのそれぞれは、入力端及び出力端を備える。複数の第２駆動ユニットは、順次走査線へ第２駆動信号を送信する。複数の第２駆動ユニットの入力端は、複数の第３トランジスタを介して次の行の第２駆動ユニットの出力端に接続され、複数の第２駆動ユニットの出力端は、複数の第４トランジスタを介して次の行の第２駆動ユニットの入力端に接続される。
【０００６】
選択的に、走査ドライバーの第１駆動領域において、第５トランジスタは、先端の第１駆動ユニットの入力端と第１起動信号端の間に結合され、第６トランジスタは、終端の第１駆動ユニットの入力端と第１起動信号端の間に結合されてもよい。
【０００７】
選択的に、走査ドライバーの第２駆動領域において、第７トランジスタは、先端の第２駆動ユニットの入力端と第２起動信号端の間に結合され、第８トランジスタは、終端の第２駆動ユニットの入力端と第２起動信号端の間に結合されてもよい。
【０００８】
選択的に、走査ドライバーにおいて、第１方向イネーブル信号は、第１トランジスタ、第３トランジスタ、第６トランジスタ及び第８トランジスタのゲートに提供され、第２方向イネーブル信号は、第２トランジスタ、第４トランジスタ、第５トランジスタ及び第７トランジスタのゲートに提供されてもよい。
【０００９】
選択的に、第１トランジスタ、第２トランジスタ、第３トランジスタ、第４トランジスタ、第５トランジスタ、第６トランジスタ、第７トランジスタ及び第８トランジスタは、いずれもＰ型薄膜トランジスタであってもよい。
【００１０】
選択的に、走査ドライバーにおいて、第１方向イネーブル信号及び第２方向イネーブル信号は互いに重ならない。
【００１１】
選択的に、走査ドライバーにおいて、画素は、第１駆動端、第２駆動端及び第３駆動端を備え、第１駆動信号は第１駆動端に提供され、第２駆動信号は第２駆動端に提供され、第３駆動信号は第３駆動端に提供されてもよい。
【００１２】
選択的に、走査ドライバーにおいて、ｎ行目の第１駆動ユニットの出力端は、ｎ行目の画素の第１駆動信号を出力し、ｎ行目の第２駆動ユニットの出力端は、ｎ行目の画素の第２駆動信号を出力し、（ｎ＋１）行目の第１駆動ユニットの出力端は、ｎ行目の画素の第３駆動信号を出力してもよい。ここで、ｎは自然数である。
【００１３】
選択的に、走査ドライバーにおいて、第１駆動ユニットは、第１駆動ユニット第１クロック信号端及び第１駆動ユニット第２クロック信号端を備える。なお、第１駆動ユニット第１クロック信号端は、奇数行の第１駆動ユニットの第１クロック信号端及び偶数行の第１駆動ユニットの第２クロック信号端に接続され、第１駆動ユニット第２クロック信号端は、奇数行の第１駆動ユニットの第２クロック信号端及び偶数行の第１駆動ユニットの第１クロック信号端に接続される。第２駆動ユニットは、第２駆動ユニット第１クロック信号端及び第２駆動ユニット第２クロック信号端を備える。なお、第２駆動ユニット第１クロック信号端は、奇数行の第２駆動ユニットの第１クロック信号端及び偶数行の第２駆動ユニットの第２クロック信号端に接続され、第２駆動ユニット第２クロック信号端は、奇数行の第２駆動ユニットの第２クロック信号端及び偶数行の第２駆動ユニットの第１クロック信号端に接続される。
【００１４】
本開示は、上述の走査ドライバーの駆動方法を更に提供する。正方向走査の際に、第１方向イネーブル信号は第１レベルを維持し、第２方向イネーブル信号は第２レベルを維持し、第１起動信号は先端の第１駆動ユニットの入力端に提供され、一単位時間後、第２起動信号は先端の第２駆動ユニットの入力端に提供される。逆方向走査の際に、第１方向イネーブル信号は第２レベルを維持し、第２方向イネーブル信号は第１レベルを維持し、第１起動信号は終端の第１駆動ユニットの入力端に提供され、二単位時間後、第２起動信号は終端の第２駆動ユニットの入力端に提供される。ここで、第１レベルは第２レベルよりも高い。
【００１５】
本開示は、有機発光ディスプレイを更に提供する。当該有機発光ディスプレイは、上記いずれか一項に記載の走査ドライバーと、データ線へデータ信号を提供するためのデータドライバーと、発光制御線へ発光制御信号を提供するための発光制御線ドライバーと、走査線とデータ線と発光制御線との交差エリアに配置される画素と、を備える。
【００１６】
本開示によって提供される走査ドライバーとその駆動方法、及び有機発光ディスプレイにおいて、複数の第１駆動ユニットの入力端が、複数の第１トランジスタを介して次の行の第１駆動ユニットの出力端に接続され、複数の第１駆動ユニットの出力端が、複数の第２トランジスタを介して次の行の第１駆動ユニットの入力端に接続され、第１トランジスタ及び第２トランジスタを異なる状況下で導通するように制御することにより、第１駆動ユニットの出力端を次の行の入力端に接続させる（即ち、第１駆動ユニットの出力端が次の行へトリガー信号を提供する）か、または、第１駆動ユニットの出力端を前の行の入力端に接続させる（次の行からのトリガー信号を受信する）ことができる。なお、次の行へトリガー信号を提供することによって正方向に導通することができ、次の行からのトリガー信号を受信することによって逆方向に導通することができる。同様に、複数の第２駆動ユニットの入力端が、複数の第３トランジスタを介して次の行の第２駆動ユニットの出力端に接続され、複数の第２駆動ユニットの出力端が、複数の第４トランジスタを介して次の行の第２駆動ユニットの入力端に接続され、第３トランジスタ及び第４トランジスタを異なる状況下で導通するよう制御することにより、第２駆動ユニットの出力端を次の行の入力端に接続させる（即ち、第２駆動ユニットの出力端は、次の行へトリガー信号を提供する）か、または、第２駆動ユニットの出力端を前の行の入力端に接続させる（次の行からのトリガー信号を受信する）ことができる。なお、次の行へトリガー信号を提供することによって正方向に導通することができ、次の行からのトリガー信号を受信することによって逆方向に導通することができる。
【図面の簡単な説明】
【００１７】
【図１】図１は、本開示一実施例の有機発光ディスプレイを示す模式図である。
【図２】図２は、本開示一実施例の有機発光ディスプレイが正方向に導通するときの等価回路を示す模式図である。
【図３】図３は、本開示一実施例の有機発光ディスプレイが逆方向に導通するときの等価回路を示す模式図である。
【図４】図４〜５は、本開示一実施例の走査ドライバーの駆動方法を示す模式図である。
【図５】図４〜５は、本開示一実施例の走査ドライバーの駆動方法を示す模式図である。
【発明を実施するための形態】
【００１８】
本開示の目的、技術手段及び長所をより明らかにするために、以下、図面を参照しながら、本開示をより詳しく説明する。
【００１９】
本開示の目的は、走査ドライバーとその駆動方法、及び有機発光ディスプレイを提供することによって、ＡＭＯＬＥＤスクリーンの走査ドライバーによる両方向走査を実現することである。
【００２０】
上記目的を実現するために、本開示は、走査ドライバーとその駆動方法、及び有機発光ディスプレイを提供する。前記走査ドライバーは、順次走査線へ走査信号を提供する。該走査信号は、走査線により複数の画素に提供される。走査ドライバーは、第１駆動領域及び第２駆動領域を備え、第１駆動領域は、複数の第１駆動ユニットを備え、複数の第１駆動ユニットのそれぞれは、入力端及び出力端を備える。複数の第１駆動ユニットは、順次走査線へ第１駆動信号及び第３駆動信号を送信する。複数の第１駆動ユニットの入力端は、複数の第１トランジスタを介して次の行の第１駆動ユニットの出力端に接続され、複数の第１駆動ユニットの出力端は、複数の第２トランジスタを介して次の行の第１駆動ユニットの入力端に接続される。第２駆動領域は、複数の第２駆動ユニットを備え、複数の第２駆動ユニットのそれぞれは、入力端及び出力端を備える。複数の第２駆動ユニットは、順次走査線へ第２駆動信号を送信する。複数の第２駆動ユニットの入力端は、複数の第３トランジスタを介して次の行の第２駆動ユニットの出力端に接続され、複数の第２駆動ユニットの出力端は、複数の第４トランジスタを介して次の行の第２駆動ユニットの入力端に接続される。
【００２１】
＜実施例一＞
本実施例は、走査ドライバーを提供する。当該走査ドライバーは、順次走査線へ走査信号を提供する。走査信号は、走査線より画素ユニット１０における複数の画素に提供される。走査ドライバーは、第１駆動領域２１及び第２駆動領域２２を備える。前記第１駆動領域２１は、複数の第１駆動ユニット２１１を備え、複数の第１駆動ユニット２１１のそれぞれは入力端ＳＩＮ及び出力端Ｓ＿ＯＵＴを備える。複数の第１駆動ユニット２１１は、順次走査線へ第１駆動信号Ｓ１＜ｎ＞及び第３駆動信号Ｓ３＜ｎ＞を送信し、ｎは自然数である。複数の第１駆動ユニット２１１の入力端ＳＩＮは、複数の第１トランジスタＭ１を介して次の行の第１駆動ユニット２１１の出力端Ｓ＿ＯＵＴに接続され、複数の第１駆動ユニット２１１の出力端Ｓ＿ＯＵＴは、複数の第２トランジスタＭ２を介して次の行の第１駆動ユニット２１１の入力端ＳＩＮに接続される。前記第２駆動領域２２は、複数の第２駆動ユニット２２１を備え、複数の前記第２駆動ユニット２２１のそれぞれは入力端ＳＩＮ及び出力端Ｓ＿ＯＵＴを備える。第２駆動ユニットの内部回路構成は第１駆動ユニットの内部回路構成と同一であるため、第２駆動ユニット２２１の入力端及び出力端は第１駆動ユニット２１１の入力端及び出力端と同一である。複数の前記第２駆動ユニット２２１は、順次前記走査線へ第２駆動信号Ｓ２＜ｎ＞を送信する。複数の第２駆動ユニット２２１の入力端ＳＩＮは、複数の第３トランジスタＭ３を介して次の行の第２駆動ユニット２２１の出力端Ｓ＿ＯＵＴに接続され、複数の第２駆動ユニット２２１の出力端Ｓ＿ＯＵＴは、複数の第４トランジスタＭ４を介して次の行の第２駆動ユニット２２１の入力端ＳＩＮに接続される。
【００２２】
具体的には、上記走査ドライバーにおいて、第１駆動領域２１の中で、第５トランジスタＭ５は、先端の第１駆動ユニット２１１の入力端ＳＩＮと第１起動信号端ＳＩＮ１の間に結合され、第６トランジスタＭ６は、終端の第１駆動ユニット２１１の入力端ＳＩＮと第１起動信号端ＳＩＮ１の間に結合される。第２駆動領域２２の中で、第７トランジスタＭ７は、先端の第２駆動ユニット２２１の入力端ＳＩＮと第２起動信号端ＳＩＮ２の間に結合され、第８トランジスタＭ８は、終端の第２駆動ユニット２２１の入力端ＳＩＮと第２起動信号端ＳＩＮ２の間に結合される。ここで、先端の第１駆動ユニット２１１は、その出力端が第１画素１１に接続される第１駆動ユニットであり、先端の第２駆動ユニット２２１は、その出力端が第１画素１１に接続される第２駆動ユニットであり、終端の第１駆動ユニット２１１は、その出力端が最後画素１３に接続される第１駆動ユニットであり、終端の第２駆動ユニット２２１は、その出力端が最後画素１３に接続される第２駆動ユニットである。
【００２３】
さらに、第１方向イネーブル信号Ｄ１は、第１トランジスタＭ１、第３トランジスタＭ３、第６トランジスタＭ６及び第８トランジスタＭ８のゲートに提供される。第２方向イネーブル信号Ｄ２は、第２トランジスタＭ２、第４トランジスタＭ４、第５トランジスタＭ５及び第７トランジスタＭ７のゲートに提供される。第１トランジスタＭ１、第２トランジスタＭ２、第３トランジスタＭ３、第４トランジスタＭ４、第５トランジスタＭ５、第６トランジスタＭ６、第７トランジスタＭ７及び第８トランジスタＭ８は、いずれもＰ型薄膜トランジスタである。第１方向イネーブル信号Ｄ１及び第２方向イネーブル信号Ｄ２は、互いに重ならない。
【００２４】
また、画素ユニット１０の中の画素は、いずれも第１駆動端Ｓ１、第２駆動端Ｓ２及び第３駆動端Ｓ３を備える。ここで、第１駆動信号Ｓ１＜ｎ＞は第１駆動端Ｓ１に提供され、第２駆動信号Ｓ２＜ｎ＞は第２駆動端Ｓ２に提供され、第３駆動信号Ｓ３＜ｎ＞は第３駆動端Ｓ３に提供される。例えば、第１画素１１において、第１駆動信号Ｓ１＜１＞は第１駆動端Ｓ１に提供され、第２駆動信号Ｓ２＜１＞は第２駆動端Ｓ２に提供され、第３駆動信号Ｓ３＜１＞は第３駆動端Ｓ３に提供される。第２画素１２において、第１駆動信号Ｓ１＜２＞は第１駆動端Ｓ１に提供され、第２駆動信号Ｓ２＜２＞は第２駆動端Ｓ２に提供され、第３駆動信号Ｓ３＜２＞は第３駆動端Ｓ３に提供される。
【００２５】
さらに、ｎ行目の第１駆動ユニット２１１の出力端は、ｎ行目の画素の第１駆動信号Ｓ１＜ｎ＞を出力し、ｎ行目の第２駆動ユニット２２１の出力端は、ｎ行目の画素の第２駆動信号Ｓ２＜ｎ＞を出力し、（ｎ＋１）行目の第１駆動ユニット２１１の出力端は、ｎ行目の画素の第３駆動信号Ｓ３＜ｎ＞を出力する。例えば、第１画素１１について、１行目の第１駆動ユニット２１１の出力端は、第１画素１１の第１駆動端Ｓ１に接続され、第１駆動信号Ｓ１＜１＞を提供する。１行目の第２駆動ユニット２２１の出力端は、第１画素１１の第２駆動端Ｓ２に接続され、第２駆動信号Ｓ２＜１＞を提供する。２行目の第１駆動ユニットの出力端は、第１画素１１の第３駆動端Ｓ３に接続され、第３駆動信号Ｓ３＜１＞を提供する。
【００２６】
具体的には、上記走査ドライバーにおいて、図１に示すように、第１駆動ユニット２１１は、第１駆動ユニット第１クロック信号端Ｓ１＿ＳＣＫ１及び第１駆動ユニット第２クロック信号端Ｓ１＿ＳＣＫ２を備え、第１駆動ユニット第１クロック信号端Ｓ１＿ＳＣＫ１は、奇数行の第１駆動ユニットの第１クロック信号端及び偶数行の第１駆動ユニットの第２クロック信号端に接続され、第１駆動ユニット第２クロック信号端Ｓ１＿ＳＣＫ２は、奇数行の第１駆動ユニットの第２クロック信号端及び偶数行の第１駆動ユニットの第１クロック信号端に接続される。さらに、第２駆動ユニット２２１は、第２駆動ユニット第１クロック信号端Ｓ２＿ＳＣＫ１及び第２駆動ユニット第２クロック信号端Ｓ２＿ＳＣＫ２を備え、第２駆動ユニット第１クロック信号端Ｓ２＿ＳＣＫ１は、奇数行の第２駆動ユニットの第１クロック信号端及び偶数行の第２駆動ユニットの第２クロック信号端に接続され、第２駆動ユニット第２クロック信号端Ｓ２＿ＳＣＫ２は、奇数行の第２駆動ユニットの第２クロック信号端及び偶数行の第２駆動ユニットの第１クロック信号端に接続される。
【００２７】
正方向走査の際に、前記第１方向イネーブル信号Ｄ１は、第１レベルを維持し、前記第２方向イネーブル信号Ｄ２は、第２レベルを維持し、第１起動信号ＳＩＮ１は、始端の前記第１駆動ユニット２１１の入力端に提供され、一単位時間後、第２起動信号ＳＩＮ２は、始端の第２駆動ユニット２１の入力端に提供される。逆方向走査の際に、第１方向イネーブル信号Ｄ１は、第２レベルを維持し、第２方向イネーブル信号Ｄ２は、第１レベルを維持し、第１起動信号ＳＩＮ１は、終端の第１駆動ユニット２１１の入力端に提供され、二単位時間後、第２起動信号ＳＩＮ２は、終端の第２駆動ユニット２２１の入力端に提供され、第１レベルは第２レベルよりも高い。
【００２８】
本実施例は、有機発光ディスプレイを更に提供する。当該有機発光ディスプレイは、上述の走査ドライバーと、データ線へデータ信号を提供するデータドライバーと、発光制御線へ発光制御信号を提供するための発光制御線ドライバーと、走査線とデータ線と発光制御線との交差エリアに配置される画素と、を備える。
【００２９】
本実施例によって提供される走査ドライバー及び有機発光ディスプレイにおいて、複数の第１駆動ユニット２１１の入力端ＳＩＮは、複数の第１トランジスタＭ１を介して次の行の第１駆動ユニット２１１の出力端Ｓ＿ＯＵＴに接続され、複数の第１駆動ユニット２１１の出力端Ｓ＿ＯＵＴは、複数の第２トランジスタＭ２を介して次の行の第１駆動ユニット２１１の入力端ＳＩＮに接続される。第１トランジスタＭ１及び第２トランジスタＭ２を異なる状況下で導通するよう制御することにより、第１駆動ユニット２１１の出力端Ｓ＿ＯＵＴを次の行の入力端ＳＩＮに接続させる（即ち、第１駆動ユニット２１１の出力端Ｓ＿ＯＵＴは次の行へトリガー信号を提供する）か、または、第１駆動ユニット２１１の出力端Ｓ＿ＯＵＴを前の行の入力端ＳＩＮに接続させる（次の行からのトリガー信号を受信する）ことができる。次の行へトリガー信号を提供すると、正方向に導通することができ、次の行からのトリガー信号を受信すると、逆方向に導通することができる。同様に、複数の第２駆動ユニット２２１の入力端ＳＩＮは、複数の第３トランジスタＭ３を介して次の行の第２駆動ユニット２２１の出力端Ｓ＿ＯＵＴに接続され、複数の第２駆動ユニット２２１の出力端Ｓ＿ＯＵＴは、複数の第４トランジスタＭ４を介して次の行の第２駆動ユニット２２１の入力端ＳＩＮに接続される。第３トランジスタＭ３及び第４トランジスタＭ４を異なる状況下で導通するよう制御することにより、第２駆動ユニット２２１の出力端Ｓ＿ＯＵＴを次の行の入力端ＳＩＮに接続させる（即ち、第２駆動ユニット２２１の出力端Ｓ＿ＯＵＴは、次の行へトリガー信号を提供する）か、または、第２駆動ユニット２２１の出力端Ｓ＿ＯＵＴを前の行の入力端ＳＩＮに接続させる（次の行からのトリガー信号を受信する）ことができる。次の行へトリガー信号を提供すると、正方向に導通することができ、次の行からのトリガー信号を受信すると、逆方向に導通することができる。
【００３０】
このように、上記実施例は、走査ドライバー及び有機発光ディスプレイの異なる構成を詳しく説明した。ただし、本開示が上記実施例に挙げられた構成を含むが、それらに限定されないことは、自明である。上記実施例によって提供される構成に基づいて変換を行って得られるいかなる内容も、本開示の保護範囲に入るべきである。当業者は、上記実施例の内容に基づいて類似の内容を挙げることができる。
【００３１】
＜実施例二＞
本実施例は、上記の走査ドライバーの駆動方法を更に提供する。図１〜５に示すように、第１駆動ユニット第１クロック信号端に提供されるクロック信号は、第１駆動ユニット第２クロック信号端及び第２駆動ユニット第１クロック信号端に提供されるクロック信号より一単位時間先行し、第１駆動ユニット第１クロック信号端に提供されるクロック信号は、第２駆動ユニット第２端に提供されるクロック信号より二単位時間先行する。クロック信号は、二単位時間を１つの周期とする。具体的に、第１クロック信号ＣＬＫ１は、第１駆動ユニット第１クロック信号端Ｓ１＿ＳＣＫ１及び第２駆動ユニット第２クロック信号端Ｓ２＿ＳＣＫ２に提供され、第１クロック信号ＣＬＫ１は、１番目の立ち下がりエッジにおいてＳ２＿ＳＣＫ２に入力されず、２番目の立ち下がりエッジにおいてＳ２＿ＳＣＫ２に入力される。第２クロック信号ＣＬＫ２は、第１駆動ユニット第２クロック信号端Ｓ１＿ＳＣＫ２及び第２駆動ユニット第１クロック信号端Ｓ２＿ＳＣＫ１に提供される。ここで、第１クロック信号ＣＬＫ１及び第２クロック信号ＣＬＫ２は、互いに重ならない。
【００３２】
正方向走査の際に、第１方向イネーブル信号Ｄ１は、第１レベルを維持し、第２方向イネーブル信号Ｄ２は、第２レベルを維持し、第１起動信号ＳＩＮ１は、始端の第１駆動ユニットの入力端に提供され、一単位時間後、第２起動信号ＳＩＮ２は、始端の第２駆動ユニットの入力端に提供される。逆方向走査の際に、第１方向イネーブル信号Ｄ１は、第２レベルを維持し、第２方向イネーブル信号Ｄ２は、第１レベルを維持し、第１起動信号ＳＩＮ１は、終端の第１駆動ユニットの入力端に提供され、二単位時間後、第２起動信号ＳＩＮ２は、終端の第２駆動ユニットの入力端に提供され、第１レベルは、第２レベルよりも高い。
【００３３】
第１方向イネーブル信号Ｄ１は、第１トランジスタＭ１、第３トランジスタＭ３、第６トランジスタＭ６及び第８トランジスタＭ８のゲートに提供される。第２方向イネーブル信号Ｄ２は、第２トランジスタＭ２、第４トランジスタＭ４、第５トランジスタＭ５及び第７トランジスタＭ７のゲートに提供される。第１トランジスタＭ１、第２トランジスタＭ２、第３トランジスタＭ３、第４トランジスタＭ４、第５トランジスタＭ５、第６トランジスタＭ６、第７トランジスタＭ７及び第８トランジスタＭ８は、いずれもＰ型薄膜トランジスタである。図２に示す等価回路のように、正方向走査の際に、第２トランジスタＭ２、第４トランジスタＭ４、第５トランジスタＭ５及び第７トランジスタＭ７は導通し、第１トランジスタＭ１、第３トランジスタＭ３、第６トランジスタＭ６及び第８トランジスタＭ８は切断される。第１駆動ユニット２１１の出力端Ｓ＿ＯＵＴを次の行の入力端ＳＩＮに接続し、即ち、第１駆動ユニット２１１の出力端Ｓ＿ＯＵＴは、次の行へトリガー信号を提供し、次の行へトリガー信号を提供すると、正方向に導通する。図３に示す等価回路のように、逆方向走査の際に、第２トランジスタＭ２、第４トランジスタＭ４、第５トランジスタＭ５及び第７トランジスタＭ７は切断され、第１トランジスタＭ１、第３トランジスタＭ３、第６トランジスタＭ６及び第８トランジスタＭ８は導通する。第１駆動ユニット２１１の出力端Ｓ＿ＯＵＴを前の行の入力端ＳＩＮに接続し、即ち、次の行からのトリガー信号を受信し、次の行からのトリガー信号を受信すると、逆方向に導通する。
【００３４】
また、正方向走査の際に、第１駆動領域２１において、第５トランジスタＭ５が導通し、第１起動信号ＳＩＮ１は、第５トランジスタＭ５を介して始端の第１駆動ユニットの入力端に入力され、第１起動信号ＳＩＮ１は、始端の第１駆動ユニットのトリガー信号となり、始端の第１駆動ユニットの出力端は、第１駆動信号Ｓ１＜１＞を出力して第１画素１１に提供し、第１駆動信号Ｓ１＜１＞は、第２トランジスタＭ２を介して次の行の第１駆動ユニット入力端に提供されて、次の行の第１駆動ユニットのトリガー信号となる。次の行の第１駆動ユニットは、第３駆動信号Ｓ３＜１＞を出力して第１画素１１に提供する。それと同時に、出力された第３駆動信号Ｓ３＜１＞は、さらに、第１駆動信号Ｓ１＜２＞として第２画素１２に提供される。即ち、正方向走査の際に、（ｎ＋１）行目の第１駆動ユニットの出力端は、ｎ行目の画素の第３駆動信号を出力し、ここでｎは自然数である。これで分かるように、第１画素１１は、最初に走査され、この有機発光ディスプレイは正方向走査である。
【００３５】
さらに、第２駆動領域２２において、第７トランジスタＭ７が導通し、第２起動信号ＳＩＮ２は、第７トランジスタＭ７を介して始端の第２駆動ユニットの入力端に入力され、第２起動信号ＳＩＮ２は、始端の第２駆動ユニットのトリガー信号となる。始端の第２駆動ユニットの出力端は、第２駆動信号Ｓ２＜１＞を出力して第１画素１１に提供する。第２起動信号ＳＩＮ２は、第１起動信号ＳＩＮ１より一単位時間遅れるため、第２駆動信号Ｓ２＜１＞は、第１駆動信号Ｓ１＜１＞より一単位時間遅れる。これで分かるように、信号が第１または第２駆動ユニットに入力されてから一単位時間後、第１または第２駆動ユニットは信号を出力する。第２駆動信号Ｓ２＜１＞は、第４トランジスタＭ４を介して次の行の第２駆動ユニットの入力端に提供され、次の行の第２駆動ユニットのトリガー信号となる。次の行の第２駆動ユニットは、第２画素１２の第２駆動信号Ｓ２＜２＞を出力して第２画素１２に提供し、かつ、Ｓ２＜２＞はＳ２＜１＞より一単位時間遅れる。これで分かるように、第１画素１１が最初に走査され、次に第２画素１２が走査され、この有機発光ディスプレイは正方向走査である。
【００３６】
正方向走査の際に、同一画素の３つの駆動信号について、第１駆動信号は、第２駆動信号及び第３駆動信号より一単位時間先行する。第２駆動信号は第３駆動信号と同期している。前の一画素の駆動信号は、次の一画素の駆動信号より一単位時間先行する。
【００３７】
同様に、逆方向走査の際に、第６トランジスタＭ６は導通し、第１起動信号ＳＩＮ１は、第６トランジスタＭ６を介して終端の第１駆動ユニット（図３の例示では、１９２１行目の第１駆動ユニットであり、最後の行数は任意の自然数であればよい）の入力端に入力され、第１起動信号ＳＩＮ１は、終端の第１駆動ユニットのトリガー信号となる。終端の第１駆動ユニットの出力端は、最後画素１３（図３の例示では、１９２０行目の画素である）の第３駆動信号Ｓ３＜ｎ＞（図３ではＳ３＜１９２０＞である）を出力して最後画素１３に提供する。第１駆動ユニットの入力信号及び出力信号の間に一単位時間の間隔があるため、図５に示すように、Ｓ３＜１９２０＞は、ＳＩＮ１より一単位時間遅れる。第３駆動信号Ｓ３＜ｎ＞（Ｓ３＜１９２０＞）は、第１トランジスタＭ１を介して前の行の第１駆動ユニットの入力端に提供され、前の行の第１駆動ユニットのトリガー信号となる。前の行の第１駆動ユニットは、第１駆動信号Ｓ１＜ｎ＞（図３では、Ｓ１＜１９２０＞である）を出力して最後画素１３に提供し、Ｓ１＜１９２０＞は、Ｓ３＜１９２０＞より一単位時間遅れる。それと同時に、出力される第１駆動信号Ｓ１＜１９２０＞は、さらに、第３駆動信号Ｓ３＜１９１９＞として最後から２番目の画素に提供され、（ｎ＋１）行目の第１駆動ユニットの出力端は、ｎ行目の画素の第３駆動信号を出力し、ただし、ｎは自然数である。これで分かるように、最後画素１３は最初に走査され、この有機発光ディスプレイは逆方向走査である。
【００３８】
さらに、逆方向走査の際に、第８トランジスタＭ８が導通し、第２起動信号ＳＩＮ２は、第８トランジスタＭ８を介して終端の第２駆動ユニット（図３の例示では、１９２０行目の第２駆動ユニットであり、最後の行数は任意の自然数であればよい）の入力端に入力され、第２起動信号ＳＩＮ２は、終端の第２駆動ユニットのトリガー信号となる。終端の第２駆動ユニットの出力端は、最後画素１３（図３の例示では、１９２０行目の画素である）の第２駆動信号Ｓ２＜ｎ＞（図３では、Ｓ２＜１９２０＞である）を出力して最後画素１３に提供する。第２駆動信号Ｓ２＜ｎ＞は、第３トランジスタＭ３を介して前の行の第２駆動ユニットの入力端に提供され、前の行の第２駆動ユニットのトリガー信号となる。前の行の第２駆動ユニットは、最後画素１３の前の行の画素の第２駆動信号Ｓ２＜ｎ＞（図３では、Ｓ２＜１９１９＞である）を出力して最後画素１３の前の行の画素、即ち、１９１９行目の画素に提供する。つまり、最後画素１３は最初に走査され、この有機発光ディスプレイは逆方向走査である。逆方向走査の際に、第２起動信号ＳＩＮ２は、第１起動信号ＳＩＮ１より二単位時間遅れるため、１番目のクロック周期において、Ｓ２＜１９２０＞は、Ｓ３＜１９２０＞より二単位時間遅れる。
【００３９】
逆方向走査の際に、同一画素の３つの駆動信号について、第３駆動信号は、第１駆動信号よりも一単位時間先行する。第１駆動信号は、第２駆動信号よりも一単位時間先行する。次の一画素の駆動信号は、前の一画素の駆動信号よりも一単位時間先行する。
【００４０】
図４〜５に示すように、第１起動信号ＳＩＮ１及び第２起動信号ＳＩＮ２は幅の広いパルスである。正方向走査の際に、第１起動信号ＳＩＮ１は、第２起動信号ＳＩＮ２のシーケンスよりも一単位時間Ｈ先行する。逆方向走査の際に、第１起動信号ＳＩＮ１は、第２起動信号ＳＩＮ２のシーケンスよりも二単位時間２Ｈ先行する。第１起動信号が第１駆動ユニットの入力端に入力された後、第１駆動信号Ｓ１＜１＞は、第１起動信号ＳＩＮ１より一単位時間Ｈ遅れる。同様に、第２起動信号が第２駆動ユニットに入力された後、第２駆動信号Ｓ２＜１＞は、第１起動信号ＳＩＮ２よりも一単位時間Ｈ遅れ、正方向走査の際に、第２駆動信号Ｓ２＜１＞は、第１駆動信号Ｓ１＜１＞よりも一単位時間Ｈ遅れるため、第１駆動信号Ｓ１＜１＞が第２画素のトリガー信号としてその入力端に入力された後、第２画素の出力端によって出力される第３駆動信号Ｓ３＜１＞は、第１駆動信号Ｓ１＜１＞よりも一単位時間Ｈ遅れて、第２駆動信号Ｓ２＜１＞と同期している。類似する例もこれと同様の論理で理解される。逆方向走査の際に、第２駆動信号Ｓ２＜ｎ＞は、第３駆動信号Ｓ３＜ｎ＞よりも二単位時間２Ｈ遅れる。
【００４１】
本実施例によって提供される走査ドライバーの駆動方法では、複数の第１駆動ユニット２１１の入力端ＳＩＮは、複数の第１トランジスタＭ１を介して次の行の第１駆動ユニット２１１の出力端Ｓ＿ＯＵＴに接続され、複数の第１駆動ユニット２１１の出力端Ｓ＿ＯＵＴは、複数の第２トランジスタＭ２を介して次の行の第１駆動ユニット２１１の入力端ＳＩＮに接続される。第１トランジスタＭ１及び第２トランジスタＭ２を異なる状況下で導通するよう制御することにより、第１駆動ユニット２１１の出力端Ｓ＿ＯＵＴを次の行の入力端ＳＩＮに接続する（即ち、第１駆動ユニット２１１の出力端Ｓ＿ＯＵＴは、次の行へトリガー信号を提供する）か、または、第１駆動ユニット２１１の出力端Ｓ＿ＯＵＴを前の行の入力端ＳＩＮに接続する（次の行からのトリガー信号を受信する）ことができる。次の行へトリガー信号を提供すると、正方向に導通することができ、次の行からのトリガー信号を受信すると、逆方向に導通することができる。同様に、複数の第２駆動ユニット２２１の入力端ＳＩＮは、複数の第３トランジスタＭ３を介して次の行の第２駆動ユニット２２１の出力端Ｓ＿ＯＵＴに接続され、複数の第２駆動ユニット２２１の出力端Ｓ＿ＯＵＴは、複数の第４トランジスタＭ４を介して次の行の第２駆動ユニット２２１の入力端ＳＩＮに接続される。第３トランジスタＭ３及び第４トランジスタＭ４を異なる状況下で導通するよう制御することにより、第２駆動ユニット２２１の出力端Ｓ＿ＯＵＴを次の行の入力端ＳＩＮに接続する（即ち、第２駆動ユニット２２１の出力端Ｓ＿ＯＵＴは、次の行へトリガー信号を提供する）か、または、第２駆動ユニット２２１の出力端Ｓ＿ＯＵＴを前の行の入力端ＳＩＮに接続する（次の行からのトリガー信号を受信する）ことができる。次の行へトリガー信号を提供すると、正方向に導通することができ、次の行からトリガー信号を受信すると、逆方向に導通することができる。
【００４２】
本開示の各実施例について、漸進的に説明した。各実施例については、その他実施例との相違点に注目して説明した。各実施例の間で同等または類似の部分については、相互参照すればよい。実施例に公開されたシステムは、実施例に公開された方法に対応するため、その説明を簡素化しており、関連する内容は方法に対する説明を参照すればよい。
【００４３】
以上は、本開示の好適な実施例に過ぎず、本開示の保護範囲を限定するものではない。本開示の範囲から逸脱することなく、本開示に基づいて行われる修正、等価変換、および改良などは、すべて本開示の保護範囲内に入るべきである。
【符号の説明】
【００４４】
１０  画素  １１  第１画素  １２  第２画素  １３  最後画素  ２１  第１駆動領域  ２１１  第１駆動ユニット  ２２  第２駆動領域  ２２１  第２駆動ユニット
【図１】
2020523635.tif 000003
【図２】
2020523635.tif 000004
【図３】
2020523635.tif 000005
【図４】
2020523635.tif 000006
【図５】
2020523635.tif 000007
【手続補正書】
【提出日】令和1年12月10日(2019.12.10)
【手続補正１】
【補正対象書類名】特許請求の範囲
【補正対象項目名】全文
【補正方法】変更
【補正の内容】
【特許請求の範囲】
【請求項１】
走査線により複数の画素に提供される走査信号を順次前記走査線へ提供する走査ドライバーであって、
第１駆動領域と、第２駆動領域とを備え、
前記第１駆動領域は複数の第１駆動ユニットを備え、前記複数の第１駆動ユニットのそれぞれは、入力端及び出力端を含み、前記複数の第１駆動ユニットは順次前記走査線へ第１駆動信号及び第３駆動信号を送信し、複数の第１駆動ユニットの入力端は複数の第１トランジスタを介して次の行の第１駆動ユニットの出力端に接続され、複数の第１駆動ユニットの出力端は複数の第２トランジスタを介して次の行の第１駆動ユニットの入力端に接続され、
前記第２駆動領域は複数の第２駆動ユニットを備え、前記複数の第２駆動ユニットのそれぞれは、入力端及び出力端を含み、前記複数の第２駆動ユニットは順次前記走査線へ第２駆動信号を送信し、複数の第２駆動ユニットの入力端は複数の第３トランジスタを介して次の行の第２駆動ユニットの出力端に接続され、複数の第２駆動ユニットの出力端は複数の第４トランジスタを介して次の行の第２駆動ユニットの入力端に接続される
ことを特徴とする走査ドライバー。
【請求項２】
前記第１駆動領域において、
第５トランジスタは、始端の前記第１駆動ユニットの入力端と第１起動信号端の間に結合され、
第６トランジスタは、終端の前記第１駆動ユニットの入力端と第１起動信号端の間に結合され、
前記第２駆動領域において、
第７トランジスタは、始端の前記第２駆動ユニットの入力端と第２起動信号端の間に結合され、
第８トランジスタは、終端の前記第２駆動ユニットの入力端と第２起動信号端の間に結合される
ことを特徴とする請求項１に記載の走査ドライバー。
【請求項３】
第１方向イネーブル信号は、前記第１トランジスタ、前記第３トランジスタ、前記第６トランジスタ及び前記第８トランジスタのゲートに提供され、
第２方向イネーブル信号は、前記第２トランジスタ、前記第４トランジスタ、前記第５トランジスタ及び前記第７トランジスタのゲートに提供される
ことを特徴とする請求項２に記載の走査ドライバー。
【請求項４】
前記第１トランジスタ、前記第２トランジスタ、前記第３トランジスタ、前記第４トランジスタ、前記第５トランジスタ、前記第６トランジスタ、前記第７トランジスタ及び前記第８トランジスタは、いずれもＰ型薄膜トランジスタである
ことを特徴とする請求項３に記載の走査ドライバー。
【請求項５】
前記第１方向イネーブル信号及び前記第２方向イネーブル信号は、互いに重ならない
ことを特徴とする請求項３に記載の走査ドライバー。
【請求項６】
前記画素は、第１駆動端、第２駆動端及び第３駆動端を備え、
前記第１駆動信号は、前記第１駆動端に提供され、
前記第２駆動信号は、前記第２駆動端に提供され、
前記第３駆動信号は、前記第３駆動端に提供される
ことを特徴とする請求項１に記載の走査ドライバー。
【請求項７】
ｎ行目の前記第１駆動ユニットの出力端は、ｎ行目の画素の第１駆動信号を出力し、
ｎ行目の前記第２駆動ユニットの出力端は、ｎ行目の画素の第２駆動信号を出力し、
（ｎ＋１）行目の前記第１駆動ユニットの出力端は、ｎ行目の画素の第３駆動信号を出力し、ここで、ｎは自然数である
ことを特徴とする請求項６に記載の走査ドライバー。
【請求項８】
前記第１駆動ユニットは、第１駆動ユニット第１クロック信号端及び第１駆動ユニット第２クロック信号端を含み、
前記第１駆動ユニット第１クロック信号端は、奇数行の前記第１駆動ユニットの第１クロック信号端及び偶数行の前記第１駆動ユニットの第２クロック信号端に接続され、
前記第１駆動ユニット第２クロック信号端は、奇数行の前記第１駆動ユニットの第２クロック信号端及び偶数行の前記第１駆動ユニットの第１クロック信号端に接続され、
前記第２駆動ユニットは、第２駆動ユニット第１クロック信号端及び第２駆動ユニット第２クロック信号端を備え、
前記第２駆動ユニット第１クロック信号端は、奇数行の前記第２駆動ユニットの第１クロック信号端及び偶数行の前記第２駆動ユニットの第２クロック信号端に接続され、
前記第２駆動ユニット第２クロック信号端は、奇数行の前記第２駆動ユニットの第２クロック信号端及び偶数行の前記第２駆動ユニットの第１クロック信号端に接続される
ことを特徴とする請求項３に記載の走査ドライバー。
【請求項９】
請求項８に記載の走査ドライバーの駆動方法であって、
正方向走査の際に、前記第１方向イネーブル信号は、第１レベルを維持し、前記第２方向イネーブル信号は、第２レベルを維持し、
第１起動信号は、始端の前記第１駆動ユニットの入力端に提供され、一単位時間後、第２起動信号は、始端の前記第２駆動ユニットの入力端に提供され、
逆方向走査の際に、前記第１方向イネーブル信号は、第２レベルを維持し、前記第２方向イネーブル信号は、第１レベルを維持し、
第１起動信号は、終端の前記第１駆動ユニットの入力端に提供され、二単位時間後、第２起動信号は、終端の前記第２駆動ユニットの入力端に提供され、
前記第１レベルは、前記第２レベルよりも高い
ことを特徴とする駆動方法。
【請求項１０】
請求項１〜８のいずれか一項に記載の走査ドライバーと、
データ線へデータ信号を提供するためのデータドライバーと、
発光制御線へ発光制御信号を提供するための発光制御線ドライバーと、
前記走査線と前記データ線と前記発光制御線との交差エリアに配置される画素と、
を備えることを特徴とする有機発光ディスプレイ。
【手続補正２】
【補正対象書類名】明細書
【補正対象項目名】００２７
【補正方法】変更
【補正の内容】
【００２７】
正方向走査の際に、前記第１方向イネーブル信号Ｄ１は、第１レベルを維持し、前記第２方向イネーブル信号Ｄ２は、第２レベルを維持し、第１起動信号ＳＩＮ１は、始端の前記第１駆動ユニット２１１の入力端に提供され、一単位時間後、第２起動信号ＳＩＮ２は、始端の第２駆動ユニット２２１の入力端に提供される。逆方向走査の際に、第１方向イネーブル信号Ｄ１は、第２レベルを維持し、第２方向イネーブル信号Ｄ２は、第１レベルを維持し、第１起動信号ＳＩＮ１は、終端の第１駆動ユニット２１１の入力端に提供され、二単位時間後、第２起動信号ＳＩＮ２は、終端の第２駆動ユニット２２１の入力端に提供され、第１レベルは第２レベルよりも高い。
【手続補正３】
【補正対象書類名】明細書
【補正対象項目名】００４４
【補正方法】変更
【補正の内容】
【００４４】
１０  画素ユニット  １１  第１画素  １２  第２画素  １３  最後画素  ２１  第１駆動領域  ２１１  第１駆動ユニット  ２２  第２駆動領域  ２２１  第２駆動ユニット
【国際調査報告】
2020523635.tif 000008
2020523635.tif 000009
2020523635.tif 000010
2020523635.tif 000011